(57)【特許請求の範囲】
【請求項１】
自動車のシートベルトが張り渡されて自動車の座席に固定されるチャイルドシートに設けられるシートベルトロック装置であって、
開口端から一方に向けて延在し、前記シートベルトを前記開口端から内部に受け入れ可能なシートベルト挿通孔を有する本体ケースと、
前記シートベルト挿通孔の内部に挿入された前記シートベルトが外方へと脱落するのを防止するために前記開口端を閉鎖する閉鎖位置と、前記シートベルトが前記シートベルト挿通孔に出入り可能な状態とするために前記開口端を開放する開放位置との間を移動可能となるように前記本体ケースに支持されるベルト抜け止め部材と、
前記シートベルト挿通孔に挿入された前記シートベルトの一方面側から前記シートベルトを押圧し、前記シートベルト挿通孔を画定する壁面に前記シートベルトを押し当てて前記シートベルトの移動を規制するベルトロック位置と、前記シートベルトに対する押圧を解除して前記シートベルトの移動を許容するベルトロック解除位置との間を移動可能となるように前記本体ケースに支持されるベルトロック部材と、
前記ベルトロック部材を前記ベルトロック位置に向けて付勢する付勢手段と、
第一の位置と第二の位置との間を移動可能となるように前記本体ケースに支持され、前記第一の位置から前記第二の位置に移動するように操作されたときに、前記ベルトロック部材と当接し、前記ベルトロック部材を前記ベルトロック解除位置に向けて押す操作部と、
前記操作部が前記第一の位置にあるときには、前記ベルト抜け止め部材を前記閉鎖位置に配置させ、前記操作部が前記第二の位置にあるときには、前記ベルト抜け止め部材を前記開放位置に配置させるように、前記操作部と前記ベルト抜け止め部材とを連動可能に連結する連結部と、を備え、
前記連結部は、
前記ベルト抜け止め部材に設けられた第一貫通孔および第二貫通孔と、
前記操作部に設けられ、前記第一貫通孔に挿入される操作部軸部と、
前記本体ケースに設けられ、前記第二貫通孔に挿入される本体ケース軸部と、から構成される、シートベルトロック装置。
【請求項２】
前記ベルトロック部材は、
軸を介して前記本体ケースに回動可能に支持され、
その一方側端部がベルトロック時に前記シートベルトを噛み込む突条のクラッチ部を構成し、
その他方端部が前記操作部と当接する当接部を構成する、請求項１に記載のシートベルトロック装置。
【請求項３】
前記操作部は、前記本体ケースから外方に突出するように配置された操作ボタンを有し、
当該操作ボタンが前記本体ケース側に向けて押し込まれると、前記操作部が前記第一の位置から前記第二の位置へと移動する、請求項１または２に記載のシートベルトロック装置。
【請求項４】
前記付勢手段は、バネによって構成される、請求項１〜３のいずれかに記載のシートベルトロック装置。
【請求項５】
自動車のシートベルトが張り渡されて自動車の座席に固定されるチャイルドシートであって、
乳幼児が着座する座部と、
着座する乳幼児の背中を背後から支持する背もたれ部と、
前記背もたれ部の背面側上方部に設けられ、請求項１〜４のいずれかに記載の特徴を有するシートベルトロック装置と、を備えるチャイルドシート。
【発明の詳細な説明】
【技術分野】
【０００１】
本発明は、チャイルドシートに用いられるシートベルトロック装置、およびシートベルトロック装置を備えるチャイルドシートに関するものである。
【背景技術】
【０００２】
乳幼児を自動車に乗せて移動する際に、乳幼児を着座させて用いるチャイルドシートは、自動車に設置されているシートベルトを利用して自動車の座席に締着固定される。このようなチャイルドシートにおいては、着座する乳幼児の安全を確保するために、チャイルドシートがシートベルトによって自動車の座席に堅固に固定されることが重要である。そのためには、シートベルトが、チャイルドシートの所定の位置に安定して張り渡されることが必要となる。このような安全性の観点から、シートベルトをチャイルドシートの所定の位置に保持可能とするためのシートベルトロック装置が、種々開発されてきた。このようなシートベルトロック装置として、例えば特開２００１−３４７８６０号公報（特許文献１）が、開示されている。
【先行技術文献】
【特許文献】
【０００３】
【特許文献１】特開２００１−３４７８６０号公報
【発明の概要】
【発明が解決しようとする課題】
【０００４】
特許文献１に記載のシートベルトロック装置は、上下方向に長尺な下端開口のシートベルト挿通孔が設けられた本体ケースと、シートベルト挿通孔を覆うように本体ケースに枢支されたベルト押え部とを備える。ベルト押え部は、シートベルトロック時にベルト挿通孔を閉鎖してシートベルトを挟み込む板状のレバー部と、当該レバー部の下端から外方へ突出するように設けられ、シートベルトロック時にシートベルトがシートベルト挿通孔から下方側に脱落することを防止するように、シートベルト挿通孔の下端開口を閉塞するベルトストッパ部とを有する。
【０００５】
ここで、特許文献１に記載のシートベルトロック装置は、上記構成を備えることから、次に示す課題があった。チャイルドシートを自動車座席に締着固定する場合に、シートベルトをチャイルドシートに弛みなく強く張り渡すためには、使用者は、シートベルトをシートベルトロック装置に挿通させ、チャイルドシートに張架した後、シートベルトを、シートベルトロック装置から引き出す方向に向けて引っ張る作業を行う必要がある。
【０００６】
ここで、上記したように、特許文献１に係るシートベルトロック装置においては、レバー部とベルトストッパ部とが、一体的に設けられている。このため、シートベルトを引き出すように引っ張ったときに、レバー部がシートベルトの動きに追随して開方向に回動してしまうことが起こり得る。そうすると、ベルトストッパ部も同様に開方向に移動するため、シートベルト挿通孔の下端開口を開放することとなる。これにより、シートベルトがシートベルト挿通孔から下方へと脱落してしまうこととなる。このように、特許文献１に記載のチャイルドシートは、自動車座席への取り付け作業時に、シートベルトがシートベルトロック装置から脱落してしまうことが往々にして起こり得るため、利便性に関して欠点があった。
【０００７】
また、特許文献１に記載のチャイルドシートにおいては、衝突等により衝撃が加えられた場合においても、レバー部とベルトストッパ部とが一体的に開いてしまうことによって、シートベルトがシートベルトロック装置から脱落してしまうことも起こり得る。
【０００８】
そこで、本発明の目的は、上記課題に鑑み、取り付けの利便性を向上させるとともに、シートベルトを安定してロックすることができるシートベルトロック装置を提供することである。
【０００９】
本発明の他の目的は、取り付けの利便性および安定性に優れたシートベルトロック装置を備えるチャイルドシートを提供することである。
【課題を解決するための手段】
【００１０】
本発明に係るシートベルトロック装置は、自動車のシートベルトが張り渡されて自動車の座席に固定されるチャイルドシートに設けられる。このシートベルトロック装置は、開口端から一方に向けて延在し、シートベルトを開口端から内部に受け入れ可能なシートベルト挿通孔を有する本体ケースと、シートベルト挿通孔の内部に挿入されたシートベルトが外方へと脱落するのを防止するために開口端を閉鎖する閉鎖位置と、シートベルトがシートベルト挿通孔に出入り可能な状態とするために開口端を開放する開放位置との間を移動可能となるように本体ケースに支持されるベルト抜け止め部材と、シートベルト挿通孔に挿入されたシートベルトの一方面側からシートベルトを押圧し、シートベルト挿通孔を画定する壁面にシートベルトを押し当ててシートベルトの移動を規制するベルトロック位置と、シートベルトに対する押圧を解除してシートベルトの移動を許容するベルトロック解除位置との間を移動可能となるように本体ケースに支持されるベルトロック部材と、ベルトロック部材をベルトロック位置に向けて付勢する付勢手段と、第一の位置と第二の位置との間を移動可能となるように本体ケースに支持され、第一の位置から第二の位置に移動するように操作されたときに、ベルトロック部材と当接し、ベルトロック部材をベルトロック解除位置に向けて押す操作部と、操作部が第一の位置にあるときには、ベルト抜け止め部材を閉鎖位置に配置させ、操作部が第二の位置にあるときには、ベルト抜け止め部材を開放位置に配置させるように、操作部とベルト抜け止め部材とを連動可能に連結する連結部とを備える。
【００１１】
この構成によれば、使用者が操作部を第一の位置から第二の位置へと操作すると、ベルト抜け止め部材が開放位置へと移動するとともに、ベルトロック部材が操作部によってベルトロック解除位置へ向けて押されて移動する。これにより、使用者は、シートベルト挿通孔内にシートベルトを挿入することが可能となる。その後に、使用者が操作部から手を離すと、上記付勢手段によって、ベルトロック部材がベルトロック位置に移動し、操作部が第二の位置から第一の位置へと押し返されるとともに、ベルト抜け止め部材が閉鎖位置へと復帰することとなる。こうして、シートベルト挿通孔内に挿入されたシートベルトは、ベルトロック部材によって押圧されてロックされ、且つ、ベルト抜け止め部材によってシートベルト挿通孔から脱落することが防止されることとなる。
【００１２】
ここで、本発明においては、シートベルトロック時に、ベルトロック部材単体に対してベルトロック解除位置へ向けた力が加えられた場合、ベルトロック部材と操作部との当接状態が解除され、ベルトロック部材のみがベルトロック解除位置へ移動することが可能な構成となっている。すなわち、使用者が、チャイルドシートを自動車座席に締着固定する際、シートベルトロック装置にシートベルトを挿通した状態でシートベルトを引っ張った場合に、仮にベルトロック部材がベルトロック解除位置へ向けて移動させられたとしても、操作部およびベルト抜け止め部材は、ベルトロック部材との機械的結合が解除されるため、その位置が確実に維持される構成となっている。したがって、ベルト抜け止め部材によってシートベルト挿通孔の開口端が確実に閉鎖されるため、シートベルトをシートベルト挿通孔内に確実に保持することができる。これにより、チャイルドシートの取り付け作業時にシートベルトがシートベルトロック装置から脱落することを防止することができるため、取り付け作業に係る利便性を向上させることができる。
【００１３】
さらに、衝突等によりチャイルドシートに衝撃が加えられた場合においても、シートベルトロック装置は、上記のようにシートベルトをシートベルト挿通孔内に確実に保持することができるため、チャイルドシートを抑えるシートベルトの押さえ位置をより安定させることができる。したがって、チャイルドシートを自動車座席にシートベルトを介してより安定して締着固定することができる。
【００１４】
また、上記構成によれば、使用者は、一つの操作部を操作するだけで、シートベルトの出し入れと、シートベルトのロック／ロック解除といった作業を行うことができる。したがって、チャイルドシートを自動車座席に容易に設置することができる。
【００１５】
好ましくは、ベルトロック部材は、軸を介して本体ケースに回動可能に支持され、その一方側端部がベルトロック時にシートベルトを噛み込む突条のクラッチ部を構成し、その他方端部が操作部と当接する当接部を構成する。この構成によれば、ベルトロック部材は、ベルトロック位置とロック解除位置との間を、軸を中心とした回動により移動することとなるため、構成をよりコンパクトにすることができる。また、シートベルトロック時において、上記クラッチ部によってシートベルトを噛み込んでロックすることができるため、より効果的にシートベルトの移動を規制することができる。
【００１６】
好ましくは、連結部は、ベルト抜け止め部材に設けられた第一貫通孔および第二貫通孔と、操作部に設けられ、第二貫通孔に挿入される操作部軸部と、本体ケースに設けられ、第二貫通孔に挿入される本体ケース軸部とから構成される。この構成によれば、操作部とベルト抜け止め部材とを連動して動作可能とするための連結構造を、より簡単な構成により実現することができる。
【００１７】
好ましくは、操作部は、本体ケースから外方に突出するように配置された操作ボタンを有し、当該操作ボタンが本体ケース側に向けて押し込まれると、操作部が第一の位置から第二の位置へと移動する。この構成によれば、使用者が、操作部の操作をより容易に行うことが可能となる。
【００１８】
好ましくは、付勢手段は、バネによって構成される。この構成によれば、より低価格な部材であるバネを用いて、上記付勢手段を構成することができる。
【００１９】
自動車のシートベルトが張り渡されて自動車の座席に固定されるチャイルドシートであって、乳幼児が着座する座部と、着座する乳幼児の背中を背後から支持する背もたれ部と、背もたれ部の背面側上方部に設けられ、本願請求項１〜４のいずれかに記載の特徴を有するシートベルトロック装置とを備える。
【００２０】
この構成によれば、上記した効果をもたらすことができるシートベルトロック装置を備えることから、取り付けの利便性および安定性に優れたチャイルドシートを提供することができる。
【発明の効果】
【００２１】
本発明によれば、使用者が、チャイルドシートを自動車座席に締着固定する際、シートベルトロック装置にシートベルトを挿通した状態でシートベルトを引っ張った場合に、仮にベルトロック部材がベルトロック解除位置へ向けて移動させられたとしても、操作部およびベルト抜け止め部材は、ベルトロック部材との機械的結合が解除されるため、その位置が確実に維持される構成となっている。したがって、ベルト抜け止め部材によってシートベルト挿通孔の開口端が確実に閉鎖されるため、シートベルトをシートベルト挿通孔内に確実に保持することができる。これにより、チャイルドシートの取り付け作業時にシートベルトがシートベルトロック装置から脱落することを防止することができるため、取り付け作業に係る利便性を向上させることができる。さらに、衝突等によりチャイルドシートに衝撃が加えられた場合においても、シートベルトロック装置は、上記のようにシートベルトをシートベルト挿通孔内に確実に保持することができるため、チャイルドシートを抑えるシートベルトの押さえ位置を安定させることができる。したがって、チャイルドシートを自動車座席にシートベルトを介してより安定して締着固定することができる。
【図面の簡単な説明】
【００２２】
【図１】本発明の一実施形態に係るチャイルドシートの斜視図である。
【図２】本発明の一実施形態に係るチャイルドシートの左側面図である。
【図３】図２に示す本発明の一実施形態に係るシートベルトロック装置の外観図である。
【図４】図３に示すシートベルト挿通孔付近を拡大した拡大図である。
【図５】図３に示すシートベルトロック装置を図３中の矢印Ｖから見た外観図である。
【図６】図５に示すシートベルトロック装置を図５中の矢印VIから見た外観図である。
【図７】図３に示すシートベルトロック装置を図３中のVII−VIIで切断し、下方側から見た断面図である。
【図８】図６に示すベルトロック部材の外観図であって、（ａ）は図６の方向から見た図を示し、（ｂ）は（ａ）に示すベルトロック部材を下方から見た図を示し、（ｃ）は（ａ）に示すベルトロック部材を図８中の矢印Ｃから見た図を示す。
【図９】図７に示す操作部の外観図であって、（ａ）は図９（ｂ）中の矢印ａの方向から見た図を示し、（ｂ）は図７の方向から見た図を示す。
【図１０】図７に示すベルト抜け止め部材の外観図である。
【図１１】図７に示すシートベルトロック装置をロック解除した状態を示す図であって、図７に対応する図である。
【発明を実施するための形態】
【００２３】
以下、本発明の実施の形態を図面に基づき詳細に説明する。まず、図１〜図２を用いて、本発明の一実施形態に係るチャイルドシート１１の全体構造について説明する。なお、以下の説明における前後左右方向は、チャイルドシート１１に着座した乳幼児の視線方向を基準とする。すなわち、説明中の前後方向は、図２の紙面左右方向に相当し、説明中の左右方向は、図２の紙面表裏方向に相当する。
【００２４】
図１〜図２を参照して、本発明の一実施形態に係るチャイルドシート１１は、自動車に備えられたシートベルト１２を利用して自動車座席（図示せず）に締着固定され、その上に乳幼児を着座させて用いる装置であって、自動車移動中の乳幼児の安全性を確保するためのものである。
【００２５】
チャイルドシート１１は、乳幼児が着座する座部１３と、着座する乳幼児の背中を背後から支持する背もたれ部１４と、背もたれ部１４の背面上端部から左右に分かれて下方へと延び、背もたれ部１４の下端近辺において前方へと屈曲して座部１３の下端部に接続する左右一対のシェルフレーム１５とを有する座席部１６と、座席部１６を下方から支持し、座席部１６のリクライニング移動を許容するベース部１７とを備える。
【００２６】
ベース部１７の後端部には、シートベルト１２の腰ベルト１２１が張り渡されるベルト張架部１８が設けられている。ベルト張架部１８には、張り渡された腰ベルト１２１の位置を保持するためのベルト係止部１８ａが設けられている。
【００２７】
本実施形態に係るチャイルドシート１１は、背もたれ部１４と左右のシェルフレーム１５との交差領域に取り付けられた左右のシートベルトロック装置２１を備える。このシートベルトロック装置２１は、シートベルト１２の肩ベルト１２２をその内部に保持し、肩ベルト１２２がチャイルドシート１１を抑える押さえ位置を安定して維持するための装置である。図１〜図２に示す使用形態においては、左側に設けられたシートベルトロック装置２１に、肩ベルト１２２が挿通されている。すなわち、チャイルドシート１１は、ベルト張架部１８に張架された腰ベルト１２１と、シートベルトロック装置２１を通してシェルフレーム１５に張架された肩ベルト１２２とによって、自動車座席に締着固定されている。
【００２８】
次に、図３〜図１０を用いて、本発明の一実施形態に係るシートベルトロック装置２１の構成について説明する。図３は、図２に示すシートベルトロック装置２１、すなわちチャイルドシート１１の左側に設けられたシートベルトロック装置２１を示している。なお、図３、図５、および図６においては、理解の容易の観点から、シートベルトロック装置２１に挿通されたシートベルト１２を除外している。また、上記と同様に、説明における前後左右方向は、図２のチャイルドシート１１に着座した乳幼児の視線方向を基準とする。すなわち、説明中の前後方向は図３の紙面左右方向に相当し、説明中の左右方向は図３の紙面表裏方向に相当する。
【００２９】
図３〜図１０を参照して、本発明の一実施形態に係るシートベルトロック装置２１は、シートベルトロック装置２１の外形を画定する本体ケース２３と、本体ケース２３の内部に支持される部材であって、シートベルトロック時にシートベルト１２が下方へと脱落するのを防止するためのベルト抜け止め部材２４と、シートベルトロック時にシートベルト１２の移動を規制するベルトロック部材２５と、ベルト抜け止め部材２４およびベルトロック部材２５を連動して操作可能な操作部２６とを備える。
【００３０】
本体ケース２３は、上下方向に長尺な半楕円状の板状部材である表壁部２８と、表壁部２８の裏面３０から右方向へ突出するように設けられた枠フレーム２９とを有する。
【００３１】
表壁部２８の中央部には、シートベルト１２を挿通させるためのシートベルト挿通孔２２が設けられている。シートベルト挿通孔２２は、下端の開口端２７から上方に向けて延在する凹み穴であって、上下方向に略直線上に延びている。また、表壁部２８の前方下方領域には、後述する操作ボタンを外方に露出させるための貫通孔２８ｈが設けられている。
【００３２】
枠フレーム２９は、シートベルト挿通孔２２の後壁面２２ｓを画定する後壁部２９１と、後壁部２９１の上端から前方に延在する上壁部２９２と、上壁部２９２の前端から下方に延在する前壁部２９３と、前壁部２９３の下端から後方に延在する下壁部２９４とから構成されている。上記したベルト抜け止め部材２４、ベルトロック部材２５、および操作部２６は、枠フレーム２９を構成する壁部２９１〜２９４によって画定される内部の空間に支持されている。
【００３３】
後壁部２９１と下壁部２９４との間には、隙間が設けられており、この隙間によって開口端２７が画定されている。シートベルト１２をシートベルト挿通孔２２内に挿入する場合には、この開口端２７から上方へ向けて滑り込ませることにより内部に挿入することが可能となっている。
【００３４】
下壁部２９４上面の左側端部中央（図７中の紙面上方側）には、上方へ向けて突出する円形の本体ケース軸部３３が設けられている。この本体ケース軸部３３を介して、本体ケース２３とベルト抜け止め部材２４とが係合される。また、枠フレーム２９の右側中央部（図７中の紙面下方側）には、上壁部２９２から下壁部２９４へ貫通するシャフト３４が取り付けられている。このシャフト３４は、上壁部２９２に設けられた貫通孔と、下壁部２９４に穿設された凹み穴（ともに図示せず）とに挿通され、上壁部２９２と下壁部２９４との間に亘って、シートベルト挿通孔２２の延在方向に沿って延びるように配置されている。このシャフト３４を介して、ベルトロック部材２５が、本体ケース２３に回動可能に係合される。なお、これら部材同士の係合構造の詳細については、後述する。
【００３５】
ベルト抜け止め部材２４は、平坦な板状部材である。ベルト抜け止め部材２４は、その後端部に位置し、シートベルトロック時に開口端２７を閉鎖する抜け止め部２４１と、抜け止め部２４１の前端から斜め前方に延びる係合部２４２とを含む。また、抜け止め部２４１には、前後方向に延在する第一貫通孔２４３が設けられており、係合部２４２には、円形の第二貫通孔２４４がそれぞれ設けられている。ベルト抜け止め部材２４は、下壁部２９４に設けられた上記本体ケース軸部３３を第二貫通孔２４４に挿通させ、下壁部２９４上に設置される。これにより、ベルト抜け止め部材２４は、本体ケース２３に対して、本体ケース軸部３３を中心として回動可能に係合される。
【００３６】
ベルト抜け止め部材２４の上方には、操作部２６が設置される。操作部２６は、上記表壁部２８に設けられた貫通孔２８ｈから外方へ突出する操作ボタン２６１と、操作ボタン２６１と接続し、本体ケース２３内に収容されている操作部本体２６２とを有する。操作部本体２６２は、下面後方側（図９中の紙面右側）において下方へ向けて突出するように設けられた円形の操作部軸部２６３と、下面前方側において下方へ突出するように設けられ、且つ左右方向に長尺に延在する足部２６４と、操作部本体２６２の右側面の前端部から右方向に突出するように設けられた板状の突出部２６５とを含む。なお、操作部本体２６２の右後端の角部には、傾斜面２６７が形成されている。
【００３７】
操作部２６は、操作部本体２６２の下面に設けられた上記操作部軸部２６３を、ベルト抜け止め部材２４に設けられた第一貫通孔２４３に挿通させ、ベルト抜け止め部材２４上に設置される。これにより、操作部２６とベルト抜け止め部材２４とは、第一貫通孔２４３および第一貫通孔２４３に挿入された操作部軸部２６３とによって係合されることとなる。また、このときに操作部本体２６２の下面に設けられた足部２６４が、枠フレーム２９の下壁部２９４と当接し、操作部２６の姿勢を安定させる。これにより、後述するように操作部２６を操作する場合において、操作部２６のぐらつきを防止し、操作部２６を安定して操作することができる。
【００３８】
ベルトロック部材２５は、本体ケース２３に設けられた上記シャフト３４を介して、本体ケース２３の右側領域に枢支されている。ベルトロック部材２５は、上下方向に延びる円筒部２５１と、円筒部２５１の前方側に突出するように設けられ、上下方向に所定の高さを有する当接部２５２と、円筒部２５１から後方に向けて延び、その先端部に突条のクラッチ部２５３が複数形成されているロック部２５４とを有する。円筒部２５１は、その中心に貫通孔２５５を含む上下方向に長尺な円筒状部材である。当接部２５２は、後述するように、操作時に操作部２６に設けられた上記突出部２６５の先端と当接する部材であって、突出部２６５の先端を受け入れ易い形状となるように構成されている。ロック部２５４は、後方に向かうにつれて高さが高くなるように形成されており、先端に設けられたクラッチ部２５３によって、シートベルトロック時に、シートベルト１２の移動を効果的に規制することができる。ベルトロック部材２５は、上記シャフト３４を貫通孔２５５に挿通することによって、本体ケース２３に回動可能に支持されている。
【００３９】
本実施形態においては、ベルトロック部材２５は、本体ケース２３に設けられた捩りコイルバネ（図示せず）によって、シャフト３４を中心として、図７に示す方向から見て時計回り方向に常に付勢されている。この捩りコイルバネの弾性力によって、ベルトロック部材２５は、シートベルト１２をロックする。
【００４０】
このように、ベルトロック部材２５は、シャフト３４を中心とした回動により後述するシートベルトロック位置からシートベルトロック解除位置まで移動することとなる。しがって、ロック装置をよりコンパクトに構成することができる。また、シートベルトロック時において、上記クラッチ部２５３によってシートベルト１２を噛み込んでロックすることができるため、より効果的にシートベルト１２の移動を規制することができる。
【００４１】
次に、図７および図１１を用いて、本実施形態に係るシートベルトロック装置２１の動作について説明する。図７は、シートベルトロック状態を示しており、図１１は、シートベルトロック解除状態を示している。
【００４２】
図７および図１１を参照して、シートベルト１２をロックしている状態においては、図７に示すように、ベルトロック部材２５が、上記捩りコイルバネによって付勢され、シートベルト挿通孔２２を閉鎖する位置に配置される。したがって、シートベルト挿通孔２２にシートベルト１２が挿入されていると、シートベルト１２の前面側（紙面左側）から壁面２２ｓに対してシートベルト１２を押圧する。このとき、ロック部２５４の先端に設けられたクラッチ部２５３が、シートベルト１２を噛み込む。これにより、シートベルト１２の移動が規制され、シートベルト１２はロックされる。
【００４３】
また、図７に示すシートベルトロック状態においては、ベルト抜け止め部材２４に設けられた抜け止め部２４１が、シートベルト挿通孔２２の開口端２７を閉鎖している。したがって、シートベルト１２は、抜け止め部２４１の上方のシートベルト挿通孔２２内に保持されるため、シートベルト挿通孔２２の開口端２７から下方へ脱落することが防止されている。
【００４４】
シートベルトロック状態における操作部２６は、図７に示すように、操作ボタン２６１が本体ケース２３の外方に最大限突出した第一の位置に配置されている。このシートベルトロック状態からロックを解除する場合、使用者は、第一の位置にある操作ボタン２６１を、本体ケース２３側へ向けて押し込み、操作部２６を図１１に示す第二の位置に配置させるよう移動させる。この移動に伴って、ベルト抜け止め部材２４の第一貫通孔２４３と係合する操作部軸部２６３が、係合する第一貫通孔２４３の壁面を図７の紙面下方へ向けて押す。そうすると、操作部軸部２６３が第一貫通孔２４３内を相対移動するとともに、ベルト抜け止め部材２４が本体ケース軸部３３を中心として回動する。その結果、ベルト抜け止め部材２４は、図７に示す開口端２７を閉鎖する閉鎖位置から、図１１に示すように開口端２７を開放する開放位置へと回動により移動することとなる。
【００４５】
すなわち、本実施形態に係るシートベルトロック装置２１は、操作部２６とベルト抜け止め部材２４とを連動可能に連結する連結部を備えており、この連結部を、ベルト抜け止め部材２４に設けられた第一貫通孔２４３および第二貫通孔２４４と、第一貫通孔２４３に挿入される操作部軸部２６３と、第二貫通孔２４４に挿入される本体ケース軸部３３とによって構成している。このように、本実施形態においては、操作部２６とベルト抜け止め部材２４とを連動可能に連結するための連結構造を、上記のような簡単な構成によって実現している。
【００４６】
操作部２６が第一の位置から第二の位置に移動すると、それに伴って、操作部２６に設けられた突出部２６５が、ベルトロック部材２５に設けられた当接部２５２と当接し、これを図７の紙面下方へ向けて押す。そうすると、ベルトロック部材２５は、シャフト３４を中心として、図７に示す方向から見て反時計回りに、上記捩りコイルバネの弾性力に逆らって回動する。そして、操作部本体２６２の右後端角部に形成されている傾斜面２６７と、ロック部２５４の側面２５６とが当接し、操作部２６、ベルトロック部材２５、およびベルト抜け止め部材２４の動きが規制される。こうして、ベルトロック部材２５は、図７に示すベルトロック位置から、図１１に示すようにシートベルト挿通孔２２を開放するベルトロック解除位置まで回動により移動する。この状態となると、ベルトロック部材２５によるシートベルト１２に対する押圧が解除され、シートベルト１２がシートベルト挿通孔２２内を移動可能となる。
【００４７】
このように、使用者は、操作ボタン２６１を押し込むことによって、ベルト抜け止め部材２４およびベルトロック部材２５を、ロック解除の位置に連動して移動させることができる。その結果、シートベルトロック装置２１は、シートベルト１２をシートベルト挿通孔２２に出し入れ可能なロック解除状態となる。
【００４８】
図１１に示すロック解除状態から、使用者が操作部２６を離すと、上記捩りコイルバネの弾性力によって、ベルトロック部材２５が、図１１に示す方向から見て時計回りに回動し、図７に示すベルトロック位置へと復帰する。そして、ベルトロック部材２５が、再びシートベルト１２を壁面２２ｓに対して押圧し、クラッチ部２５３がシートベルト１２を噛み込んでロックする。
【００４９】
ベルトロック部材２５がベルトロック解除位置からベルトロック位置に回動するのに伴って、当接部２５２が突出部２６５を図１１の紙面上方へ向けて押す。そうすると、操作部２６が第二の位置から第一の位置へと押し戻される。これとともに、ベルト抜け止め部材２４が、図１１に示す開放位置から、図７に示す閉鎖位置へと復帰して、シートベルト挿通孔２２の開口端２７を閉鎖する。こうして、シートベルトロック装置２１は、ロック状態となる。
【００５０】
本実施形態に係るシートベルトロック装置２１は、上記構成を備えることから、チャイルドシート１１を自動車座席に締着固定する際に、シートベルト１２をロックした状態でシートベルト１２を引っ張る作業を行った場合や、チャイルドシート１１に衝突等による衝撃が加えられた場合において、シートベルト１２をシートベルト挿通孔２２内に確実に保持することができる。これについて、以下に説明する。
【００５１】
シートベルトロック状態でシートベルト１２を引っ張った場合や、チャイルドシート１１に衝撃が加わった場合、シートベルト１２から、当該シートベルトを噛み込むベルトロック部材２５に対して、相対的な力が伝達されることとなる。その結果、ベルトロック部材２５をベルトロック解除位置に移動させてしまうことも起こり得る。この場合、ベルトロック部材２５は、ベルトロック位置からベルトロック解除位置まで、シャフト３４を中心として回動する。
【００５２】
このようにベルトロック部材２５が単体として回動すると、操作部２６の突出部２６５と、ベルトロック部材２５の当接部２５２との間の当接が解除される。すなわち、ベルトロック部材２５が、外部からの力によって単体として回動した場合、ベルトロック部材２５と操作部２６との間の機械的結合が解除される構成となっている。このため、操作部２６は、ベルトロック部材２５の単体としての回動によって、何ら影響を受けることがない。したがって、上記のようにベルトロック部材２５単体が回動した場合においても、操作部２６の位置は確実に維持される。すなわち、ベルト抜け止め部材２４の位置も確実に維持されることとなる。これにより、開口端２７の閉鎖状態が維持されるため、シートベルト１２がシートベルト挿通孔２２から脱落することを防止することができる。
【００５３】
このように、本実施形態に係るシートベルトロック装置２１によれば、チャイルドシート１１を自動車座席に締着固定する際にシートベルト１２を引っ張る作業を行った場合に、仮にベルトロック部材２５がベルトロック解除位置へ向けて移動させられたとしても、シートベルト１２をシートベルト挿通孔２２内に確実に保持することができる。これにより、チャイルドシートの取り付け作業時にシートベルト１２がシートベルトロック装置２１から脱落することを防止することができるため、取り付け作業に係る利便性を向上させることができる。
【００５４】
また、衝突等によりチャイルドシート１１に衝撃が加えられた場合においても、シートベルトロック装置２１は、上記のようにシートベルト１２をシートベルト挿通孔２２内に確実に保持することができるため、チャイルドシート１１を抑えるシートベルト１２の押さえ位置をより安定させることができる。したがって、チャイルドシート１１を自動車座席にシートベルト１２を介してより安定して締着固定することができる。
【００５５】
また、本実施形態によれば、使用者は、一つの操作ボタン２６１を押し込む操作をするだけで、シートベルト１２の出し入れと、シートベルト１２のロック／ロック解除といった作業を行うことができる。したがって、チャイルドシート１１を自動車座席により容易に設置することが可能となる。
【００５６】
なお、本実施形態においては、ベルトロック部材が本体ケースに枢支され、ベルトロック位置とベルトロック解除位置との間を回動により移動する場合について述べたが、これに限らず、ベルトロック部材が、ベルトロック位置とベルトロック解除位置との間を摺動するように本体ケースに支持される構成であってもよい。
【００５７】
また、本実施形態においては、操作部とベルトロック部材との機械的な結合を、操作部に設けられた突出部とベルトロック部材に設けられた当接部との当接により実現していたが、これに限らず、操作部を第一の位置から第二の位置へ操作した場合にはベルトロック部材に力を伝達し、且つベルトロック部材単体がベルトロック位置からベルトロック解除位置へ移動する場合には操作部へは力が伝達されない構成であれば、如何なるものであってもよい。例えば、操作部とベルトロック部材との連結を、一方方向への力のみを伝達可能なワンウェイクラッチによって構成することも可能である。
【００５８】
また、本実施形態においては、操作部とベルト抜け止め部材とを連動可能に連結する連結部を、第一貫通孔および第二貫通孔と、これと係合する本体ケース軸部および操作部軸部とによって構成した場合について述べたが、これに限らず、操作部とベルト抜け止め部材とを、上記したように連動して動作することができる構成であれば、如何なる連結構造であってもよい。
【００５９】
また、本実施形態においては、ベルトロック部材をベルトロック位置に向けて付勢する付勢手段を、コスト性に優れた捩りコイルバネによって構成した場合について述べたが、これに限らず、ゴム材料や磁石等、ベルトロック部材をベルトロック位置に向けて付勢可能であれば、如何なる部材を用いてもよい。
【００６０】
以上、図面を参照して本発明の実施の形態を説明したが、本発明は、図示した実施の形態のものに限定されない。図示した実施の形態に対して、本発明と同一の範囲内において、あるいは均等の範囲内において、種々の修正や変形を加えることが可能である。
【産業上の利用可能性】
【００６１】
本発明は、取り付けの利便性および安定性に優れたシートベルトロック装置を備えるチャイルドシートを提供するものであって、チャイルドシート製造業に有利に利用される。
【符号の説明】
【００６２】
１１  チャイルドシート、１２  シートベルト、１２１  腰ベルト、１２２  肩ベルト、１３  座部、１４  背もたれ部、１５  シェルフレーム、１６  座席部、１７  ベース部、１８  ベルト張架部、１８ａ  ベルト係止部、２１  シートベルトロック装置、２２  シートベルト挿通孔、２３  本体ケース、２４  ベルト抜け止め部材、２４１  抜け止め部、２４２  係合部、２５  ベルトロック部材、２５１  円筒部、２５２  当接部、２５３  クラッチ部、２５４  ロック部、２６  操作部、２６１  操作ボタン、２６２  操作部本体、２６４  足部、２６５  突出部、２７  開口端、２８  表壁部、２９  枠フレーム、２９１，２９２，２９３，２９４  壁部、２２ｓ，３０，２５６，２６７  面、２８ｈ，２４３，２４４，２５５  貫通孔、３３，２６３  軸部、３４  シャフト。
【図１】
0005680975.tif 000002
【図２】
0005680975.tif 000003
【図３】
0005680975.tif 000004
【図４】
0005680975.tif 000005
【図５】
0005680975.tif 000006
【図６】
0005680975.tif 000007
【図７】
0005680975.tif 000008
【図８】
0005680975.tif 000009
【図９】
0005680975.tif 000010
【図１０】
0005680975.tif 000011
【図１１】
0005680975.tif 000012